(57)【要約】【課題】  山林資源を有効に利用することができる卒塔婆を実現する。【解決手段】  頭部が、仏教上の概念である地輪・水輪・火輪・風輪・空輪を意味する五輪１２と呼ばれる宗教的な意味が込められた装飾形状に形成されるとともに、下部先端部がＶ字状に形成され、幅方向の断面形状が細長い方形状に形成された卒塔婆１１において、その素材とし、杉花粉症対策として、あるいは、水害予防対策として大量に伐採され、伐採地にそのまま放置されていることが多い杉材を用いる。【選択図】        図１
2006239207.tif 000002
【特許請求の範囲】
【請求項１】
杉材および桧材のうちの一方を素材として用いた卒塔婆（１１）。
【請求項２】
Ｖ字状に形成された下部先端部に防腐剤を塗布した請求項１記載の卒塔婆。
【請求項３】
下部先端部が点接触するように前記下部先端部に所定形状の切欠部（２２）を設けた請求項１記載の卒塔婆（２２）。
【請求項４】
下部先端部に防腐剤を塗布した請求項３記載の卒塔婆。
【発明の詳細な説明】
【技術分野】
【０００１】
本発明は卒塔婆に関する。具体的には、山林資源を有効に利用することができる卒塔婆を提供せんとするものである。
【背景技術】
【０００２】
墓所には、忌日などに卒塔婆が立てられる。この卒塔婆のサイズは様々であるが、長さが1200mm、幅が60mm（または75mm）、厚さが９mmのもの、あるいは、長さが1800mm、75mm、厚さが９mmのものが代表的である。
【０００３】
このような卒塔婆の素材には、従来より各種の木材が用いられている。すなわち、中国あるいはドイツ産の樅（もみ）、日本産の栂（つが）、アメリカあるいはカナダ産のスプルス、アメリカ産のホワイト・ファーなどが用いられている。中でも、マツ科の常緑樹である樅が、木質が軟らかくて加工し易く、かつ、色彩も白色であって外観上美麗であるとともに文字を印刷したり書き込むのに適していることから、卒塔婆の素材として広く使用されている。
【発明の開示】
【発明が解決しようとする課題】
【０００４】
しかしながら、この樅は、立ち木の状態のとき、地上に近い部位を含む幹全体から枝が伸び、しかも、枝を切り落とす枝落ちの手入れが行われることがない。そのため、樅を製材して得られる材木には節目が多く、節目のない無地材は極めて少ないという問題点があった。
【０００５】
また、樅は、近時、我が国のみならず世界的にも、その需要に対して産出量が不足する傾向にあり、将来的には入手が困難になることが予想される。したがって、今後においては、卒塔婆の素材として樅に代わる木材が希求されている。
【課題を解決するための手段】
【０００６】
そこで、上記課題を解決するために、本発明はなされたものである。そのために、本発明では、卒塔婆の素材として杉材または桧材を用い、所要工程により所定形状を形成するようにした。
【発明の効果】
【０００７】
本発明によるならば、杉花粉症対策として、あるいは水害予防対策として大量に伐採され、伐採地にそのまま放置されている杉材を、卒塔婆の素材として用いるようにしたので、山林資源の有効利用を実現することができる。したがって、杉材を卒塔婆の素材として用いることは、卒塔婆を製造する者だけではなく、卒塔婆を提供する仏寺の僧侶およびその提供を受ける者も、山林資源の有効利用に資することになる。
【０００８】
また、杉材を用いた卒塔婆は、樅材を使用した卒塔婆よりも軽量であって、文字の書き手にとっては、その作業上の負担を軽減することができる。そのうえ、杉材からは無地材が多く得られるので、歩留まりが良く、しかも、樅材と比べて安価であり、卒塔婆の製造コストの低廉化を図ることが可能である。
【０００９】
さらに、卒塔婆の下部先端部に防腐剤を塗布するようにしたことから、露天の墓所に卒塔婆を立てた場合に、卒塔婆の下部先端部から雨水などが浸み込むのを防止し、卒塔婆の腐食を防ぐことができる。
【００１０】
また、卒塔婆の下部先端部に所定形状の切欠部を設けて、２点で接地するようにしたので、墓所の卒塔婆立てに卒塔婆を立てた場合に、卒塔婆が倒れるのを防ぐことができる。しかも、卒塔婆の下部先端部は点接触するので、雨水などが卒塔婆に浸み込むのを抑制することが可能となる。したがって、本発明によりもたらされる効果は、実用上極めて大きい。
【発明を実施するための最良の形態】
【００１１】
本発明を実施するための最良の形態を図１に示し、説明する。ここで、図１は、本実施の形態における卒塔婆の構成を示す平面図である。
【００１２】
図１において、卒塔婆１１は、頭部が、仏教上の概念である地輪・水輪・火輪・風輪・空輪を意味する五輪１２と呼ばれる宗教的な意味が込められた装飾形状に形成されている。これに対して、卒塔婆１１の下部先端部は、本来的には卒塔婆１１は地中に差し込まれて立てられたことから、伝統的にＶ字状に形成されている。また、卒塔婆１１は、図２（図１のＡ−Ａ線に沿う断面図）に示すように、幅方向の断面形状が細長い方形状に形成されている。
【００１３】
このような形状に形成された卒塔婆１１の素材として、本発明では杉材を用いている。ここで、近年、山林に生育している杉は、杉花粉症対策として地方自治体の施策の下、その伐採が進められている。また、水害予防対策として、陽光を浴びさせて下草を繁茂させるために、杉を適当な間隔をおいて伐採する間伐も行われている。
【００１４】
このように、山林に生育している杉が大量に伐採されている一方で、住宅建築用資材しての杉材に対する需要は低下の一途をたどっている・その結果、伐採された大量の杉材が、何ら利用されることなく伐採地にそのまま放置されているのが現状である。
【００１５】
そこで、このように放置され何ら利用されない杉材の存在に着目し、その有効利用を図るべく、本発明では、卒塔婆１１の素材として杉材を用いるようにしたのである。
【００１６】
この杉材は、桜よりも軽くという特徴を有する。したがって、仏寺の住職などが、卒塔婆１１を手に保持して墨と筆により経文、戒名等を書く場合は、その作業上の負担を軽減するという利点がある。しかも、杉は、樅とは異なり、立ち木の状態のとき、幹の下方の部位から伸びている枝については、枝落ちの手入れをする。枝落ちを行えば、その後、枝落ちした部分からは枝が伸びないため、節目がさほど多くない。すなわち、無地材が多く得られるため、数多くの卒塔婆１１を製造することができ、歩留まりが良いという特徴がある。
【００１７】
また、杉材の価格は、樅材の価格の約３分の２である。したがって、卒塔婆１１の素材として杉材を用いれば、樅材を使用する場合よりも、卒塔婆１１の製造コストを低減化することが可能である。
【００１８】
さらに、杉材は、図３（横断面図）に示すように、芯部に近い部分Ｐは、住宅用の柱材として利用されるが、残余の部分を卒塔婆１１の素材として用いることができる。すなわち、杉材１００を余すところなく総体的に利用することができる。
【００１９】
図４は、本発明の他の実施の形態を示す平面図であ理、図１における構成要素と同一の構成要素については、同じ符号を付して説明する。
【００２０】
図４において、図１に示した実施の形態と異なるところは、卒塔婆１１におけるＶ字状に形成された下部の先端部に、平行斜線で示すように、卒塔婆１１の腐食を防止するための防腐剤を塗布していることである。この防腐剤は、当該先端部の表面、裏面、両側面および底面にそれぞれ塗布されている。その他の構成は、図１に示した実施の形態と同じである。
【００２１】
このように、卒塔婆１１の下部先端部に防腐剤を塗布すれば、露天の墓所に卒塔婆１１を立てた場合に、卒塔婆１１の下部先端部から雨水などが浸み込むのを防止することができ、したがって卒塔婆１１の腐食を防ぐことができる。腐食が防止されれば、不要となった卒塔婆１１は、これを焼却することなくペレット状に加工して、燃料用のペレット材として再利用することが可能となる。すなわち、天然資源である杉材１００を最大限有効に利用することができる。なお、防腐剤を塗布する範囲は、卒塔婆１１の下部先端から地上高Ｈ10〜20mm程度までで充分である。
【００２２】
図５は、本発明の第３の実施の形態を示す平面図であり、図１および図４における構成要素と同一の構成要素については、同じ符号を付している。
【００２３】
図５において、図１および図４に示した各実施の形態と異なるところは、卒塔婆２１の下部先端部に円弧状の切欠部２２を設けて、２点で接地するようにしていることである。その他の構成は、図１および図４に示した各実施の形態と同じである。
【００２４】
このように構成するならば、墓所に設置されている卒塔婆立てにおいて卒塔婆２１を立てた場合に、卒塔婆２１が倒れるのを防ぐ効果が得られる。また、卒塔婆２１の下部先端は点接触することから、卒塔婆２１への雨水などの浸み込みを抑制することができる。
【００２５】
なお、図５では、卒塔婆２１の下部先端部に設ける切欠部２２が、円弧状である場合を示した。しかし、本発明は、これに限定されるものではない。その他にも、例えばＵ字状あるいはＶ字状であってもよい。
【００２６】
また、本実施の形態における卒塔婆２１においても、図４に示した実施の形態と同様に、卒塔婆２１の下部先端部に防腐剤を塗布するようにしてもよい。
【００２７】
以上説明した各実施の形態においては、杉材１００を卒塔婆１１，２１の素材として用いる場合について述べた。しかし、昨今、杉材１００のみならず桧材についても、同じく山林資源としての有効利用が望まれている。したがって、図１，４，５に示した各実施の形態において、杉材１００の桧材を用いるようにしてもよい。
【図面の簡単な説明】
【００２８】
【図１】本発明の第１の実施の形態を示す平面図である。
【図２】図１のＡ−Ａ線に沿う断面図である。
【図３】杉材の利用方法を説明するための説明図である。
【図４】本発明の第２の実施の形態を示す平面図である。
【図５】本発明の第３の実施の形態を示す平面図である。
【符号の説明】
【００２９】
１１  卒塔婆
１２  五輪
２１  卒塔婆
２２  切欠部
１００  杉材
【図１】
2006239207.tif 000003
【図２】
2006239207.tif 000004
【図３】
2006239207.tif 000005
【図４】
2006239207.tif 000006
【図５】
2006239207.tif 000007